【手続補正書】
【提出日】令和1年8月21日(2019.8.21)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
遊技の進行を制御する遊技制御手段と、
演出を制御する演出制御手段と、
所定範囲に属する判定値のうちから抽出された判定値に基づき、導出を許容する表示結果を決定する事前決定手段と、
表示結果を導出させるために操作される導出操作手段と、
表示結果を導出させる制御を行う導出制御手段と、
第１遊技状態と、当該第１遊技状態よりも前記事前決定手段の決定結果が所定決定結果になる確率が高い第２遊技状態とのうちのいずれかの遊技状態に制御する遊技状態手段と、
前記導出操作手段の操作態様を特定可能な情報を報知可能な報知状態に制御するか否かを決定する報知状態決定手段と、を備え、
前記報知状態決定手段は、前記第１遊技状態および前記第２遊技状態のいずれにおいても前記報知状態に制御するか否かを決定することが可能であり、
前記第１遊技状態において前記事前決定手段の決定結果が前記所定決定結果になる判定値数と、前記第２遊技状態において前記事前決定手段の決定結果が前記所定決定結果になる判定値数との差分は、前記報知状態に制御するか否かの決定に用いられず、
前記導出制御手段は、
前記事前決定手段の決定結果が第１決定結果であるときにおいて、当該第１決定結果に対応する手順で前記導出操作手段が操作されたときには第１表示結果を導出する一方、当該第１決定結果に対応する手順と異なる手順で前記導出操作手段が操作されたときには前記第１表示結果よりも有利度合いが低い表示結果を導出し、
前記事前決定手段の決定結果が第２決定結果であるときにおいて、当該第２決定結果に対応する手順で前記導出操作手段が操作されたときには第２表示結果を導出する一方、当該第２決定結果に対応する手順と異なる手順で前記導出操作手段が操作されたときには前記第２表示結果よりも有利度合いが低い表示結果を導出し、
前記第１決定結果に対応する手順と前記第２決定結果に対応する手順とは、同じ特定手順を含み、
前記遊技制御手段は、前記導出操作手段の操作態様を特定可能な情報を報知可能な第１報知手段を含み、
前記演出制御手段は、前記導出操作手段の操作態様を特定可能な情報を報知可能な第２報知手段を含み、
前記第１報知手段は、前記事前決定手段の決定結果が前記第１決定結果および前記第２決定結果のいずれであっても、前記特定手順を特定可能な情報を共通の態様で報知可能であり、
前記第２報知手段は、前記事前決定手段の決定結果が前記第１決定結果および前記第２決定結果のいずれであっても、前記特定手順を特定可能な情報を共通の態様で報知可能であり、
前記遊技制御手段は、前記可変表示部の変動表示が開始した後、有効化条件が成立するまで前記導出操作手段の操作を有効化せずに有効化条件が成立したときに前記導出操作手段の操作を有効化する導出操作有効化手段を含み、
前記導出操作有効化手段は、前記導出操作手段の操作が有効化された状態で電力供給が停止された後、電力供給が再開されたときに、電力供給の再開後に改めて有効化条件が成立するまで前記導出操作手段の操作を有効化せず、
前記第１報知手段は、前記導出操作手段の操作が有効化された状態、かつ前記導出操作手段の操作態様を特定可能な情報の報知を行っている状態で電力供給が停止された後、電力供給が再開されたときに、前記導出操作手段の操作が有効化されるよりも早いタイミングで前記導出操作手段の操作態様を特定可能な情報の報知を再開する、スロットマシン。
【手続補正２】
【補正対象書類名】明細書
【補正対象項目名】０００４
【補正方法】変更
【補正の内容】
【０００４】
従来から、付与されたナビストックを消化することによってストップスイッチの操作手順が報知されるナビモードに制御するスロットマシンがあった（たとえば、特許文献１参照）。さらに、このスロットマシンにおいては、通常遊技状態とボーナス状態とで当選する小役の種類や小役の当選確率が異なるとともに、それに伴って、通常遊技状態とボーナス状態とでナビモードへの移行抽選も異なるものであった。
【手続補正３】
【補正対象書類名】明細書
【補正対象項目名】０００５
【補正方法】変更
【補正の内容】
【０００５】
【特許文献１】特許第５４４４１７０号公報
【手続補正４】
【補正対象書類名】明細書
【補正対象項目名】０００６
【補正方法】削除
【補正の内容】
【手続補正５】
【補正対象書類名】明細書
【補正対象項目名】０００７
【補正方法】変更
【補正の内容】
【０００７】
この発明は、上述したスロットマシンの実情に鑑み考え出されたスロットマシンを提供することである。
【手続補正６】
【補正対象書類名】明細書
【補正対象項目名】０００８
【補正方法】変更
【補正の内容】
【０００８】
各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
遊技の進行を制御する遊技制御手段と、
演出を制御する演出制御手段と、
所定範囲に属する判定値のうちから抽出された判定値に基づき、導出を許容する表示結果を決定する事前決定手段と、
表示結果を導出させるために操作される導出操作手段と、
表示結果を導出させる制御を行う導出制御手段と、
第１遊技状態と、当該第１遊技状態よりも前記事前決定手段の決定結果が所定決定結果になる確率が高い第２遊技状態とのうちのいずれかの遊技状態に制御する遊技状態手段と、
前記導出操作手段の操作態様を特定可能な情報を報知可能な報知状態に制御するか否かを決定する報知状態決定手段と、を備え、
前記報知状態決定手段は、前記第１遊技状態および前記第２遊技状態のいずれにおいても前記報知状態に制御するか否かを決定することが可能であり、
前記第１遊技状態において前記事前決定手段の決定結果が前記所定決定結果になる判定値数と、前記第２遊技状態において前記事前決定手段の決定結果が前記所定決定結果になる判定値数との差分は、前記報知状態に制御するか否かの決定に用いられず、
前記導出制御手段は、
前記事前決定手段の決定結果が第１決定結果であるときにおいて、当該第１決定結果に対応する手順で前記導出操作手段が操作されたときには第１表示結果を導出する一方、当該第１決定結果に対応する手順と異なる手順で前記導出操作手段が操作されたときには前記第１表示結果よりも有利度合いが低い表示結果を導出し、
前記事前決定手段の決定結果が第２決定結果であるときにおいて、当該第２決定結果に対応する手順で前記導出操作手段が操作されたときには第２表示結果を導出する一方、当該第２決定結果に対応する手順と異なる手順で前記導出操作手段が操作されたときには前記第２表示結果よりも有利度合いが低い表示結果を導出し、
前記第１決定結果に対応する手順と前記第２決定結果に対応する手順とは、同じ特定手順を含み、
前記遊技制御手段は、前記導出操作手段の操作態様を特定可能な情報を報知可能な第１報知手段を含み、
前記演出制御手段は、前記導出操作手段の操作態様を特定可能な情報を報知可能な第２報知手段を含み、
前記第１報知手段は、前記事前決定手段の決定結果が前記第１決定結果および前記第２決定結果のいずれであっても、前記特定手順を特定可能な情報を共通の態様で報知可能であり、
前記第２報知手段は、前記事前決定手段の決定結果が前記第１決定結果および前記第２決定結果のいずれであっても、前記特定手順を特定可能な情報を共通の態様で報知可能であり、
前記遊技制御手段は、前記可変表示部の変動表示が開始した後、有効化条件が成立するまで前記導出操作手段の操作を有効化せずに有効化条件が成立したときに前記導出操作手段の操作を有効化する導出操作有効化手段を含み、
前記導出操作有効化手段は、前記導出操作手段の操作が有効化された状態で電力供給が停止された後、電力供給が再開されたときに、電力供給の再開後に改めて有効化条件が成立するまで前記導出操作手段の操作を有効化せず、
前記第１報知手段は、前記導出操作手段の操作が有効化された状態、かつ前記導出操作手段の操作態様を特定可能な情報の報知を行っている状態で電力供給が停止された後、電力供給が再開されたときに、前記導出操作手段の操作が有効化されるよりも早いタイミングで前記導出操作手段の操作態様を特定可能な情報の報知を再開する。
なお、スロットマシンは、以下のように構成されてもよい。
（１）  各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシン（スロットマシン１）において、
有利量（ＡＴゲーム数）を付与するか否かを決定する有利量決定手段（メイン制御部４１による初当り抽選，上乗せ抽選を実行する処理）と、
前記有利量決定手段によって前記有利量を付与することが決定されたときに当該有利量を付与する有利量付与手段（メイン制御部４１によるＡＴゲーム数を付与する処理）と、
付与された前記有利量を消化することによって、単位遊技当たりの遊技用価値の付与率が１を超える特定状態（ＡＲＴ）に制御する特定状態制御手段（メイン制御部４１によるＡＲＴに制御する処理）と、
所定契機以降（ＡＴ初当り時）に実行された単位遊技の回数を計数する計数手段（メイン制御部４１によるゲーム数をカウントする処理）と、
前記有利量決定手段によって前記有利量が付与される確率が通常状態（非ＣＺ中）よりも高まる有利状態（ＣＺ中）への制御を行う有利状態制御手段（メイン制御部４１によるＣＺに制御する処理）とを備え、
前記有利量付与手段は、前記計数手段によって計数された単位遊技の回数である計数回数（カウントゲーム数）が第１回数（１２５０ゲーム）に達したときに、当該第１回数よりも多い回数でありかつ前記所定契機以降に実行された単位遊技のそれぞれで付与された遊技用価値の合算量（ＡＴ初当り時移行の純増枚数の合計値）が所定の上限量（３０００枚）以下となる第２回数（１５００ゲーム）に前記計数回数が到達可能になる分の前記有利量（２００ゲーム，２５０ゲーム）を追加で付与し（メイン制御部４１による図２２（ｆ）に示す上乗せ抽選テーブルＢを用いた上乗せ抽選を実行する処理）、
前記特定状態制御手段は、前記計数回数が前記第２回数に達したときに前記特定状態への制御を終了し（ＡＴを終了させるリミット処理）、
前記有利状態制御手段によって前記有利状態に制御される確率は、所定条件の成立に依存しない（たとえば、ＣＺ抽選における当選確率は遊技状態の種類に依存しない）。